(57)【要約】【課題】簡易な方法で報酬を分配することができる広告料金分配システムを提供することである。【解決手段】サービス閲覧者端末装置は、コンテンツ情報等の閲覧を要求する（Ｓ２１）。コンテンツサーバは、コンテンツ情報およびサービス利用者の識別情報を取得し（Ｓ２３）、サービス利用者の識別情報をサービス管理者の識別情報に、予め定められた確率で置き換える（Ｓ２５）。そして、サービス管理者の識別情報を用いて、アフィリエイト情報を表示するためのアフィリエイト情報表示データと（Ｓ２６）、分配情報とを作成する（Ｓ２７）。そして、コンテンツ情報とアフィリエイト情報表示データとをサービス閲覧者端末装置へ送信する（Ｓ２８）。サービス閲覧者端末装置は、コンテンツ情報とアフィリエイト情報とをディスプレイに表示する（Ｓ２９，Ｓ３２）。【選択図】図３
2010033281.tif 000002
【特許請求の範囲】
【請求項１】
インターネットのＷｅｂサイトに掲載される広告に関する広告料金分配システムであって、
サービス管理者によって管理され、Ｗｅｂサイトに掲載されるコンテンツ情報を保持する第１のサーバと、
サービス利用者によって管理され、前記第１のサーバにコンテンツ情報を提供する第１の端末装置と、
サービス閲覧者によって管理され、前記第１の端末装置によって提供されるコンテンツ情報を閲覧するために利用される第２の端末装置とを備え、
前記第１のサーバ、前記第１の端末装置、および前記第２の端末装置は、インターネットに接続されており、
前記第１の端末装置は、
前記第１のサーバに対して、コンテンツ情報と、前記コンテンツ情報を作成したサービス利用者を識別するためのサービス利用者の識別情報とを通知する通知手段を含み、
前記第１のサーバは、
サービス管理者を識別するためのサービス管理者の識別情報を保持する保持手段と、
前記通知手段により前記コンテンツ情報および前記サービス利用者の識別情報が通知された際に、前記コンテンツ情報および前記サービス利用者の識別情報を格納する格納手段と、
前記格納手段により格納した前記サービス利用者の識別情報を、前記保持手段により保持した前記サービス管理者の識別情報に、予め定める確率で置き換える置換手段と、
前記サービス利用者の識別情報、または前記置換手段により置き換えた前記サービス管理者の識別情報を用いて、Ｗｅｂサイトに掲載される広告の情報を作成する作成手段と、
前記サービス利用者の識別情報、または前記置換手段により置き換えた前記サービス管理者の識別情報を用いて、広告料金を分配するための分配情報を作成する分配情報作成手段と、
前記格納手段により格納した前記コンテンツ情報および、前記作成手段により作成した前記広告の情報を前記第２の端末装置へ送信する送信手段とを含み、
前記第２の端末装置は、
前記第１のサーバに対して、前記コンテンツ情報の閲覧を要求する要求手段と、
前記送信手段により送信された前記コンテンツ情報および前記広告の情報を表示する表示手段とを含む、広告料金分配システム。
【請求項２】
前記サービス利用者の識別情報は、複数であって、前記複数のサービス利用者の識別情報は、順位付けされた階層構造に分類されており、
前記置換手段は、下位層に分類されたサービス利用者の識別情報を、上位層に分類されたサービス利用者の識別情報に置き換える、請求項１に記載の広告料金分配システム。
【請求項３】
前記サービス利用者の識別情報は、複数であって、
前記第１のサーバは、前記複数のサービス利用者の識別情報の中から少なくとも一つのサービス利用者の識別情報を選定する選定手段を含み、
前記置換手段は、前記第１のサーバの時刻が、予め定める時刻であるか否かを判断し、前記予め定める時刻であると判断すれば、前記格納手段により格納した前記サービス利用者の識別情報を、前記選定手段により選定した前記サービス利用者の識別情報に置き換える、請求項１に記載の広告料金分配システム。
【請求項４】
前記広告料金分配システムは、広告主によって管理され、Ｗｅｂサイトに掲載される広告の情報を保持し、インターネットに接続される第２のサーバをさらに備える、請求項１〜３のいずれかに記載の広告料金分配システム。
【請求項５】
インターネットのＷｅｂサイトに掲載される広告に関する広告料金分配方法であって、
サービス管理者によって管理され、Ｗｅｂサイトに掲載されるコンテンツ情報と、サービス管理者を識別するためのサービス管理者の識別情報とを保持する第１のサーバと、
サービス利用者によって管理され、前記第１のサーバにコンテンツ情報を提供する第１の端末装置と、
サービス閲覧者によって管理され、前記第１の端末装置によって提供されるコンテンツ情報を閲覧するために利用される第２の端末装置とを用い、
前記第１のサーバ、前記第１の端末装置、および前記第２の端末装置は、インターネットに接続されており、
前記第１の端末装置から、前記第１のサーバに対して、コンテンツ情報と、前記コンテンツ情報を作成したサービス利用者を識別するためのサービス利用者の識別情報とを通知する過程と、
前記コンテンツ情報および前記サービス利用者の識別情報が通知された際に、前記コンテンツ情報および前記サービス利用者の識別情報を格納する過程と、
前記第２の端末装置から、前記第１のサーバに対して、前記コンテンツ情報の閲覧を要求する過程と、
格納した前記サービス利用者の識別情報を、保持した前記サービス管理者の識別情報に、予め定める確率で置き換える過程と、
前記サービス利用者の識別情報、または置き換えた前記サービス管理者の識別情報を用いて、Ｗｅｂサイトに掲載される広告の情報を作成する過程と、
前記サービス利用者の識別情報、または置き換えた前記サービス管理者の識別情報を用いて、広告料金を分配するための分配情報を作成する過程と、
格納した前記コンテンツ情報および、作成した前記広告の情報を前記第２の端末装置へ送信する過程と、
送信された前記コンテンツ情報および前記広告の情報を表示する過程とを含む、広告料金分配方法。
【請求項６】
インターネットのＷｅｂサイトに掲載される広告に関する広告料金の分配に利用され、Ｗｅｂサイトに掲載されるコンテンツ情報を保持し、サービス管理者によって管理され、インターネットに接続されるサーバであって、
サービス管理者を識別するためのサービス管理者の識別情報を保持する保持手段と、
コンテンツ情報と、前記コンテンツ情報を作成したサービス利用者を識別するためのサービス利用者の識別情報とを格納する格納手段と、
外部から前記コンテンツ情報の閲覧の要求を受け付ける受付手段と、
前記格納手段により格納した前記サービス利用者の識別情報を、前記保持手段により保持した前記サービス管理者の識別情報に、予め定める確率で置き換える置換手段と、
前記サービス利用者の識別情報、または前記置換手段により置き換えた前記サービス管理者の識別情報を用いて、Ｗｅｂサイトに掲載される広告の情報を作成する作成手段と、
前記サービス利用者の識別情報、または前記置換手段により置き換えた前記サービス管理者の識別情報を用いて、広告料金を分配するための分配情報を作成する分配情報作成手段と、
前記格納手段により格納した前記コンテンツ情報および、前記作成手段により作成した前記広告の情報を外部へ送信する送信手段とを含む、サーバ。
【発明の詳細な説明】
【技術分野】
【０００１】
この発明は、広告料金分配システム、広告料金分配方法、およびサーバに関し、特に、インターネットを利用した広告における広告料金分配システム、広告料金分配方法、およびサーバに関するものである。
【背景技術】
【０００２】
従来、インターネットを利用した広告における広告料金分配システムとしては、例えば、アフィリエイトシステムが挙げられる。アフィリエイトシステムとは、個人等が開設するＷｅｂサイトやブログ等に広告主のバナー広告を掲載する。そして、Ｗｅｂサイトを閲覧する閲覧者がバナー広告をクリックすることによって、広告の対象のＷｅｂサイトにアクセスし、当該広告主の商品を購入する。そうすると、Ｗｅｂサイトを開設する開設者、すなわち、アフィリエイトシステムを利用する利用者は、広告主から報酬を受け取ることができるというシステムである。
【０００３】
また、このようなシステムは、例えば、特開２００３−４４７３１号公報（特許文献１）に開示されている。
【０００４】
特許文献１によると、システムを管理する管理サーバは、Ｗｅｂサイトを開設する開設者およびＷｅｂサイトを閲覧する閲覧者に、バナー広告のクリックの回数に応じて、サービスポイントを付与する。バナー広告の広告主は、開設者および閲覧者に、このサービスポイントに応じた報酬を提供する。また、管理サーバは、バナー広告の掲載にかかった費用の一部として、サービスポイントを付与した数に応じた金額を算出し、広告主は、管理サーバの管理者に、その金額を支払うこととしている。
【特許文献１】特開２００３−４４７３１号公報
【発明の開示】
【発明が解決しようとする課題】
【０００５】
しかし、特許文献１に開示のシステムでは、管理サーバは、バナー広告のクリックの回数を数えるために、開設者側のＷｅｂサイトを保持した端末装置において、アクセスログを検索する必要がある。この場合、管理サーバでの処理が複雑となる虞がある。
【０００６】
この発明の目的は、簡易な方法で報酬を分配することができる広告料金分配システムを提供することである。
【０００７】
この発明の他の目的は、簡易な方法で報酬を分配することができる広告料金分配方法を提供することである。
【０００８】
この発明のさらに他の目的は、簡易な方法で報酬を分配することができるサーバを提供することである。
【課題を解決するための手段】
【０００９】
この発明に係る広告料金分配システムは、インターネットのＷｅｂサイトに掲載される広告に関するものである。そして、サービス管理者によって管理され、Ｗｅｂサイトに掲載されるコンテンツ情報を保持する第１のサーバと、サービス利用者によって管理され、第１のサーバにコンテンツ情報を提供する第１の端末装置と、サービス閲覧者によって管理され、第１の端末装置によって提供されるコンテンツ情報を閲覧するために利用される第２の端末装置とを備える。第１のサーバ、第１の端末装置、および第２の端末装置は、インターネットに接続されている。第１の端末装置は、第１のサーバに対して、コンテンツ情報と、コンテンツ情報を作成したサービス利用者を識別するためのサービス利用者の識別情報とを通知する通知手段を含む。第１のサーバは、サービス管理者を識別するためのサービス管理者の識別情報を保持する保持手段と、通知手段によりコンテンツ情報およびサービス利用者の識別情報が通知された際に、コンテンツ情報およびサービス利用者の識別情報を格納する格納手段と、格納手段により格納したサービス利用者の識別情報を、保持手段により保持したサービス管理者の識別情報に、予め定める確率で置き換える置換手段と、サービス利用者の識別情報、または置換手段により置き換えたサービス管理者の識別情報を用いて、Ｗｅｂサイトに掲載される広告の情報を作成する作成手段と、サービス利用者の識別情報、または置換手段により置き換えたサービス管理者の識別情報を用いて、広告料金を分配するための分配情報を作成する分配情報作成手段と、格納手段により格納したコンテンツ情報および、作成手段により作成した広告の情報を第２の端末装置へ送信する送信手段とを含む。第２の端末装置は、第１のサーバに対して、コンテンツ情報の閲覧を要求する要求手段と、送信手段により送信されたコンテンツ情報および広告の情報を表示する表示手段とを含む。
【００１０】
好ましくは、サービス利用者の識別情報は、複数であって、複数のサービス利用者の識別情報は、順位付けされた階層構造に分類されており、置換手段は、下位層に分類されたサービス利用者の識別情報を、上位層に分類されたサービス利用者の識別情報に置き換える。
【００１１】
さらに好ましくは、サービス利用者の識別情報は、複数であって、第１のサーバは、複数のサービス利用者の識別情報の中から少なくとも一つのサービス利用者の識別情報を選定する選定手段を含み、置換手段は、第１のサーバの時刻が、予め定める時刻であるか否かを判断し、予め定める時刻であると判断すれば、格納手段により格納したサービス利用者の識別情報を、選定手段により選定したサービス利用者の識別情報に置き換える。
【００１２】
さらに好ましくは、広告料金分配システムは、広告主によって管理され、Ｗｅｂサイトに掲載される広告の情報を保持し、インターネットに接続される第２のサーバをさらに備える。
【００１３】
この発明の他の局面においては、広告料金分配方法は、インターネットのＷｅｂサイトに掲載される広告に関するものである。そして、サービス管理者によって管理され、Ｗｅｂサイトに掲載されるコンテンツ情報と、サービス管理者を識別するためのサービス管理者の識別情報とを保持する第１のサーバと、サービス利用者によって管理され、第１のサーバにコンテンツ情報を提供する第１の端末装置と、サービス閲覧者によって管理され、第１の端末装置によって提供されるコンテンツ情報を閲覧するために利用される第２の端末装置とを用いる。第１のサーバ、第１の端末装置、および第２の端末装置は、インターネットに接続されている。第１の端末装置から、第１のサーバに対して、コンテンツ情報と、コンテンツ情報を作成したサービス利用者を識別するためのサービス利用者の識別情報とを通知する過程と、コンテンツ情報およびサービス利用者の識別情報が通知された際に、コンテンツ情報およびサービス利用者の識別情報を格納する過程と、第２の端末装置から、第１のサーバに対して、コンテンツ情報の閲覧を要求する過程と、格納したサービス利用者の識別情報を、保持したサービス管理者の識別情報に、予め定める確率で置き換える過程と、サービス利用者の識別情報、または置き換えたサービス管理者の識別情報を用いて、Ｗｅｂサイトに掲載される広告の情報を作成する過程と、サービス利用者の識別情報、または置き換えたサービス管理者の識別情報を用いて、広告料金を分配するための分配情報を作成する過程と、格納したコンテンツ情報および、作成した広告の情報を第２の端末装置へ送信する過程と、送信されたコンテンツ情報および広告の情報を表示する過程とを含む。
【００１４】
この発明のさらに他の局面においては、サーバは、インターネットのＷｅｂサイトに掲載される広告に関する広告料金の分配に利用され、Ｗｅｂサイトに掲載されるコンテンツ情報を保持し、サービス管理者によって管理され、インターネットに接続される。そして、サービス管理者を識別するためのサービス管理者の識別情報を保持する保持手段と、コンテンツ情報と、コンテンツ情報を作成したサービス利用者を識別するためのサービス利用者の識別情報とを格納する格納手段と、外部からコンテンツ情報の閲覧の要求を受け付ける受付手段と、格納手段により格納したサービス利用者の識別情報を、保持手段により保持したサービス管理者の識別情報に、予め定める確率で置き換える置換手段と、サービス利用者の識別情報、または置換手段により置き換えたサービス管理者の識別情報を用いて、Ｗｅｂサイトに掲載される広告の情報を作成する作成手段と、サービス利用者の識別情報、または置換手段により置き換えたサービス管理者の識別情報を用いて、広告料金を分配するための分配情報を作成する分配情報作成手段と、格納手段により格納したコンテンツ情報および、作成手段により作成した広告の情報を外部へ送信する送信手段とを含む。
【発明の効果】
【００１５】
この発明に係る広告料金分配システムは、サービス利用者の識別情報をサービス管理者の識別情報に、予め定める確率で置き換える。そして、サービス利用者の識別情報、または置き換えたサービス管理者の識別情報を用いて、広告料金を分配するための分配情報を作成する。これにより、サービス利用者の識別情報と、サービス管理者の識別情報とを判断するのみで、分配情報を作成することができる。そして、作成した分配情報を判断するのみで、広告料金を分配することができる。その結果、簡易な方法で報酬を分配することができる。
【００１６】
また、この発明に係る広告料金分配方法は、サービス利用者の識別情報をサービス管理者の識別情報に、予め定める確率で置き換える。そして、サービス利用者の識別情報、または置き換えたサービス管理者の識別情報を用いて、広告料金を分配するための分配情報を作成する。これにより、サービス利用者の識別情報と、サービス管理者の識別情報とを判断するのみで、分配情報を作成することができる。そして、作成した分配情報を判断するのみで、広告料金を分配することができる。その結果、簡易な方法で報酬を分配することができる。
【００１７】
また、この発明に係るサーバは、サービス利用者の識別情報をサービス管理者の識別情報に、予め定める確率で置き換える。そして、サービス利用者の識別情報、または置き換えたサービス管理者の識別情報を用いて、広告料金を分配するための分配情報を作成する。これにより、サービス利用者の識別情報と、サービス管理者の識別情報とを判断するのみで、分配情報を作成することができる。そして、作成した分配情報を判断するのみで、広告料金を分配することができる。その結果、簡易な方法で報酬を分配することができる。
【発明を実施するための最良の形態】
【００１８】
以下、この発明の実施の形態を図面を参照して説明する。図１は、この発明の一実施形態に係る広告料金分配システム１０の構成を示すブロック図である。図１を参照して、広告料金分配システム１０は、インターネットのＷｅｂサイトに掲載される広告に関するものである。広告料金分配システム１０は、Ｗｅｂサイトに掲載されるコンテンツ情報等を保持する第１のサーバとしてのコンテンツサーバ１１と、Ｗｅｂサイトに掲載されるアフィリエイト情報を保持する第２のサーバとしてのアフィリエイトサーバ１２と、Ｗｅｂサイトに掲載されるコンテンツ情報等を提供する第１の端末装置としてのサービス利用者端末装置１３と、Ｗｅｂサイトに掲載されるコンテンツ情報等を閲覧するために利用される第２の端末装置としてのサービス閲覧者端末装置１４とを備える。
【００１９】
サービス利用者端末装置１３は、パソコンであって、サービス利用者端末装置１３全体を制御する中央処理装置（ＣＰＵ：Ｃｅｎｔｒａｌ  Ｐｒｏｃｅｓｓｉｎｇ  Ｕｎｉｔ）を含む制御部１３ａと、データ等を保持する記憶部１３ｂと、プログラム等を実行された結果を表示するディスプレイ１３ｃとを含む構成である。
【００２０】
サービス利用者端末装置１３は、コンテンツサーバ１１に対して、Ｗｅｂサイトに掲載されるコンテンツ情報と、そのコンテンツ情報を作成したサービス利用者を識別するためのサービス利用者の識別情報とを提供する。また、サービス利用者端末装置１３は、サービス利用者によって管理されている。
【００２１】
サービス閲覧者端末装置１４においても同様に、パソコンであって、サービス閲覧者端末装置１４全体を制御する制御部１４ａと、データ等を保持する記憶部１４ｂと、プログラム等を実行された結果を表示するディスプレイ１４ｃとを含む構成である。
【００２２】
サービス閲覧者端末装置１４は、Ｗｅｂサイトに掲載されるコンテンツ情報等を閲覧するために利用される。また、サービス閲覧者端末装置１４は、サービス閲覧者によって管理されている。
【００２３】
コンテンツサーバ１１は、コンテンツサーバ１１全体を制御する制御部１１ａと、データ等を保持する記憶部１１ｂと、データベース１１ｃとを含む構成である。コンテンツサーバ１１は、サービス管理者によって管理されており、サービス管理者を識別するためのサービス管理者の識別情報を保持する。ここで、記憶部１１ｂは、保持手段として作動する。
【００２４】
データベース１１ｃには、Ｗｅｂサイトに掲載され、サービス利用者端末装置１３から提供されるコンテンツ情報と、そのコンテンツ情報を作成したサービス利用者を識別するためのサービス利用者の識別情報とが格納されている。ここで、データベース１１ｃは、格納手段として作動する。
【００２５】
アフィリエイトサーバ１２は、アフィリエイトサーバ１２全体を制御する制御部１２ａと、データ等を保持する記憶部１２ｂとを含む構成である。アフィリエイトサーバ１２は、広告主によって管理されており、Ｗｅｂサイトに掲載されるアフィリエイト情報、例えば、バナー広告を保持する。
【００２６】
コンテンツサーバ１１と、アフィリエイトサーバ１２と、サービス利用者端末装置１３と、サービス閲覧者端末装置１４とは、それぞれインターネット１５に接続されている。
【００２７】
図２は、広告料金分配方法に関するフローチャートであって、サービス利用者端末装置１３からコンテンツサーバ１１に対して、Ｗｅｂサイトに掲載されるコンテンツ情報と、サービス利用者の識別情報とを提供する場合について示すフローチャートである。ここで、サービス利用者端末装置１３からコンテンツサーバ１１に対して、Ｗｅｂサイトに掲載されるコンテンツ情報と、サービス利用者の識別情報とを提供する場合について説明する。
【００２８】
図２を参照して、まず、サービス利用者端末装置１３は、コンテンツサーバ１１に対して、コンテンツ情報およびサービス利用者の識別情報を提供するための画面情報を要求する（図２において、ステップＳ１１、以下ステップを省略する）。
【００２９】
コンテンツサーバ１１は、コンテンツ情報およびサービス利用者の識別情報を提供されるための画面情報をサービス利用者端末装置１３へ送信する（Ｓ１２）。
【００３０】
サービス利用者端末装置１３は、送信された画面情報をディスプレイ１３ｃに表示する。そうすると、サービス利用者によって、コンテンツ情報および識別情報が入力される。ここで、コンテンツ情報とは、例えば、Ｗｅｂサイトに掲載される画像データや文字データ等である。また、識別情報は、例えば、ＩＤ番号である。
【００３１】
そして、サービス利用者端末装置１３は、入力された内容から、コンテンツ情報およびサービス利用者の識別情報を抽出し、コンテンツサーバ１１へ通知する（Ｓ１３）。ここで、制御部１３ａは、通知手段として作動する。
【００３２】
コンテンツサーバ１１は、サービス利用者端末装置１３から通知されたコンテンツ情報およびサービス利用者の識別情報を受信して、コンテンツ情報およびサービス利用者の識別情報をデータベース１１ｃに格納する（Ｓ１４）。
【００３３】
このようにして、サービス利用者端末装置１３からコンテンツサーバ１１に対して、Ｗｅｂサイトに掲載されるコンテンツ情報と、サービス利用者の識別情報とを提供する。なお、サービス利用者の識別情報は、サービス利用者によって入力されることなく、コンテンツサーバ１１に予め登録されている情報を選択するように制御してもよい。
【００３４】
図３は、広告料金分配方法に関するフローチャートであって、サービス閲覧者がサービス閲覧者端末装置１４を利用して、図２において提供されたコンテンツ情報等を閲覧する場合を示すフローチャートである。ここで、サービス閲覧者がサービス閲覧者端末装置１４を利用して、コンテンツ情報等を閲覧する場合について説明する。
【００３５】
図３を参照して、まず、サービス閲覧者が、コンテンツ情報等を閲覧するために、サービス閲覧者端末装置１４を操作する。これにより、サービス閲覧者端末装置１４は、コンテンツサーバ１１に対して、コンテンツ情報等を閲覧するための画面情報を要求する（Ｓ２１）。ここで、制御部１４ａは、要求手段として作動する。
【００３６】
コンテンツサーバ１１は、サービス閲覧者端末装置１４からのコンテンツ情報等の閲覧の要求を受け付ける（Ｓ２２）。ここで、制御部１１ａは、受付手段として作動する。そして、コンテンツ情報と、そのコンテンツ情報を作成したサービス利用者を識別するためのサービス利用者の識別情報とをデータベース１１ｃから取得する（Ｓ２３）。そして、データベース１１ｃから取得したサービス利用者の識別情報をコンテンツサーバ１１が保持するサービス管理者の識別情報に置き換えるか否かを判断する（Ｓ２４）。置き換えにおいては、予め定める確率で行う。予め定める確率が、例えば、１０回に１回の確率であるとすると、ここでは、その１回であることから、サービス利用者の識別情報をサービス管理者の識別情報に置き換えると判断する（Ｓ２４において、ＹＥＳ）。
【００３７】
そうすると、コンテンツサーバ１１は、サービス利用者の識別情報をサービス管理者の識別情報に置き換える（Ｓ２５）。ここで、制御部１１ａは、置換手段として作動する。そして、サービス管理者の識別情報を用いて、サービス閲覧者端末装置１４においてアフィリエイト情報を表示するためのアフィリエイト情報表示データを作成する（Ｓ２６）。ここで、制御部１１ａは、作成手段として作動する。なお、アフィリエイト情報表示データとは、サービス閲覧者端末装置１４において、コンテンツ情報と共にアフィリエイト情報、例えばバナー広告を表示するためのものであって、アフィリエイトサーバ１２に対して、バナー広告の画像データ等を要求するためのデータである。
【００３８】
また、コンテンツサーバ１１は、サービス管理者の識別情報を用いて、広告料金を分配するための分配情報を作成する（Ｓ２７）。ここで、制御部１１ａは、分配情報作成手段として作動する。
【００３９】
そして、コンテンツサーバ１１は、データベース１１ｃから取得したコンテンツ情報と、Ｓ２６において作成したアフィリエイト情報表示データとをサービス閲覧者端末装置１４へ送信する（Ｓ２８）。ここで、制御部１１ａは、送信手段として作動する。
【００４０】
サービス閲覧者端末装置１４は、送信されたコンテンツ情報をディスプレイ１４ｃに表示する（Ｓ２９）。また、送信されたアフィリエイト情報表示データを受信して、アフィリエイトサーバ１２に対して、アフィリエイト情報を要求する（Ｓ３０）。
【００４１】
アフィリエイトサーバ１２は、アフィリエイト情報をサービス閲覧者端末装置１４へ送信する（Ｓ３１）。
【００４２】
サービス閲覧者端末装置１４は、コンテンツ情報と共に、送信されたアフィリエイト情報をディスプレイ１４ｃに表示する（Ｓ３２）。ここで、ディスプレイ１４ｃは、表示手段として作動する。
【００４３】
このようにして、サービス閲覧者は、サービス閲覧者端末装置１４を利用して、コンテンツ情報およびアフィリエイト情報を閲覧する。ここでは、サービス閲覧者端末装置１４は、表示されるコンテンツ情報を作成したサービス利用者の識別情報とは異なるサービス管理者の識別情報を用いて、アフィリエイト情報を表示している。
【００４４】
一方、Ｓ２４において、サービス利用者の識別情報をサービス管理者の識別情報に置き換えないと判断した場合には（Ｓ２４において、ＮＯ）、コンテンツサーバ１１は、サービス利用者の識別情報を用いて、アフィリエイト情報表示データを作成する（Ｓ２６）。また、コンテンツサーバ１１は、サービス利用者の識別情報を用いて、広告料金を分配するための分配情報を作成する（Ｓ２７）。そして、サービス閲覧者端末装置１４は、表示されるコンテンツ情報を作成したサービス利用者の識別情報を用いて、アフィリエイト情報を表示する。
【００４５】
すなわち、広告料金分配システム１０は、サービス利用者の識別情報をサービス管理者の識別情報に、予め定める確率で置き換える。そして、サービス利用者の識別情報、または置き換えたサービス管理者の識別情報を用いて、広告料金を分配するための分配情報を作成する。これにより、サービス利用者の識別情報と、サービス管理者の識別情報とを判断するのみで、分配情報を作成することができる。そして、作成した分配情報を判断するのみで、広告料金を分配することができる。その結果、簡易な方法で報酬を分配することができる。
【００４６】
また、このようなコンテンツサーバ１１においても同様に、識別情報を判断するのみで、広告料金を分配するための分配情報を作成することができる。そして、作成した分配情報を判断するのみで、広告料金を分配することができる。その結果、簡易な方法で報酬を分配することができる。
【００４７】
また、図２および図３に示すように、広告料金分配方法においても同様に、識別情報を判断するのみで、広告料金を分配するための分配情報を作成することができる。そして、分配情報を判断するのみで、広告料金を分配することができる。その結果、簡易な方法で報酬を分配することができる。
【００４８】
また、一般的に、サービス利用者がＷｅｂサイトを開設して、アフィリエイト情報、例えばバナー広告を掲載するには、コンテンツサーバ１１を管理するサービス管理者に対して、利用料金を支払う必要がある。しかし、本発明の実施例では、コンテンツ情報を作成したサービス利用者の識別情報を、サービス管理者の識別情報に置き換える。これにより、サービス利用者が得るべき報酬を広告主からサービス管理者に分配して支払うことができるため、サービス利用者は、サービス管理者に対して、利用料金を支払う煩雑さを省略することができる。
【００４９】
なお、上記の実施の形態においては、予め定める確率は、１０回に１回の確率である例について説明したが、これに限ることなく、乱数を用いて決定されてもよい。
【００５０】
また、上記の実施の形態においては、コンテンツサーバ１１は、図３中のＳ２４において、サービス利用者の識別情報をサービス管理者の識別情報に置き換える例について説明したが、これに限ることなく、他の識別情報に置き換えてもよい。具体的には、サービス利用者の識別情報は複数であって、表示されるコンテンツ情報を作成したサービス利用者の識別情報とは異なるサービス利用者の識別情報に置き換えてもよい。
【００５１】
図４は、複数のサービス利用者の識別情報が、順位付けされた階層構造に分類された例を示す図である。図４を参照して、複数のサービス利用者の識別情報は、順位付けされた階層構造に分類されている。具体的には、サービス利用者Ａが最も上位層に分類され、サービス利用者Ｂ，Ｃがサービス利用者Ａより下位層に分類され、サービス利用者Ｄ，Ｅ，Ｆ，Ｇがサービス利用者Ｂ，Ｃより下位層に分類されている。ここで、下位層に分類されたサービス利用者の識別情報は、上位層に分類されたサービス利用者からの紹介等により、広告料金分配システム１０に追加される。図４に示す実施例では、サービス利用者Ａからの紹介により、サービス利用者Ｂ，Ｃの識別情報が追加される。また、サービス利用者Ｂ，Ｃからの紹介により、サービス利用者Ｄ，Ｅ，Ｆ，Ｇの識別情報が追加される。
【００５２】
このような場合に、コンテンツサーバ１１は、下位層に分類されたサービス利用者の識別情報を、上位層に分類されたサービス利用者の識別情報に、予め定める確率で置き換えてもよい。
【００５３】
具体的には、サービス閲覧者端末装置１４は、サービス利用者Ｂの作成したコンテンツ情報を閲覧するための画面情報を要求すると、コンテンツサーバ１１は、サービス利用者Ｂの作成したコンテンツ情報と、サービス利用者Ｂの識別情報と、サービス利用者Ｂにシステムを紹介したサービス利用者Ａの識別情報とをデータベース１１ｃから取得する。
【００５４】
そして、コンテンツサーバ１１は、サービス利用者Ｂの識別情報をサービス利用者Ａの識別情報に、予め定める確率で置き換える。すなわち、システムを紹介したサービス利用者の識別情報に置き換える。そして、サービス利用者Ａの識別情報を用いて、アフィリエイト情報表示データを作成すると共に、広告料金を分配するための分配情報を作成する。
【００５５】
そして、サービス閲覧者端末装置１４は、サービス利用者Ｂの作成したコンテンツ情報を表示する。また、サービス閲覧者端末装置１４は、サービス利用者Ａの識別情報を用いて、アフィリエイト情報を表示する。
【００５６】
このように、サービス利用者の識別情報を、システムを紹介したサービス利用者の識別情報に置き換える。これにより、システムを紹介したサービス利用者に広告料金を分配することができる。したがって、システムを紹介したサービス利用者は、紹介数に応じて報酬を受け取ることができる。また、この場合においても、識別情報を判断するのみで、簡易な方法で報酬を分配することができる。
【００５７】
また、コンテンツサーバ１１は、複数のサービス利用者の識別情報の中から少なくとも一つのサービス利用者の識別情報を選定して保持しておくことにより、その保持したサービス利用者の識別情報、すなわち、事前定義識別情報に置き換えてもよい。図５は、コンテンツサーバ１１において、複数のサービス利用者の識別情報の中から事前定義識別情報を選定して保持する場合を示すフローチャートである。
【００５８】
図５を参照して、まず、コンテンツサーバ１１は、データベース１１ｃから複数のサービス利用者の識別情報を取得する（Ｓ４１）。コンテンツサーバ１１は、取得した複数のサービス利用者の識別情報の中から、事前定義識別情報を選定する（Ｓ４２）。選定においては、乱数を用いて無作為に選定する。ここで、制御部１１ａは、選定手段として作動する。そして、選定した事前定義識別情報を保持する（Ｓ４３）。
【００５９】
そして、サービス閲覧者端末装置１４は、例えば、サービス利用者Ａの作成したコンテンツ情報を閲覧するための画面情報を要求すると、コンテンツサーバ１１は、サービス利用者Ａの作成したコンテンツ情報と、サービス利用者Ａの識別情報とをデータベース１１ｃから取得する。
【００６０】
そして、コンテンツサーバ１１は、コンテンツサーバ１１の時刻を確認する。確認した時刻が、予め定める時刻、例えば、２１時以降であるか否かを判断する。
【００６１】
予め定める時刻である場合、コンテンツサーバ１１は、サービス利用者Ａの識別情報を、保持している事前定義識別情報に置き換える。そして、事前定義識別情報を用いて、アフィリエイト情報表示データを作成すると共に、広告料金を分配するための分配情報を作成する。
【００６２】
そして、サービス閲覧者端末装置１４は、サービス利用者Ａの作成したコンテンツ情報を表示する。また、サービス閲覧者端末装置１４は、事前定義識別情報を用いて、アフィリエイト情報を表示する。
【００６３】
こうすることにより、予め定める時刻の間、常に事前定義識別情報に置き換えられることから、事前定義識別情報に識別されるサービス利用者に、より多くの広告料金を分配することができる。したがって、事前定義識別情報に識別されるサービス利用者は、より多くの報酬を受け取ることができる。
【００６４】
また、サービス閲覧者端末装置１４が複数であって、複数のサービス閲覧者がコンテンツ情報等を閲覧すると、事前定義識別情報に識別されるサービス利用者は、さらにより多くの報酬を受け取ることができる。
【００６５】
また、この場合においても、識別情報を置き換えるのみで、簡易な方法で報酬を分配することができる。
【００６６】
また、上記の実施の形態においては、サービス利用者端末装置１３およびサービス閲覧者端末装置１４は、パソコンである例について説明したが、これに限ることなく、携帯電話であってもよい。
【００６７】
また、上記の実施の形態においては、広告料金分配システム１０は、Ｗｅｂサイトに掲載されるアフィリエイト情報を保持する第２のサーバとしてのアフィリエイトサーバ１２を備える例について説明したが、これに限ることなく、例えば、アフィリエイトサーバ１２としての機能をコンテンツサーバ１１に具備させることにより、アフィリエイトサーバ１２を備えない構成としてもよい。
【００６８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００６９】
【図１】この発明の一実施形態に係る広告料金分配システムの構成を示すブロック図である。
【図２】サービス利用者端末装置からコンテンツサーバに対して、Ｗｅｂサイトに掲載されるコンテンツ情報と、サービス利用者の識別情報とを提供する場合について示すフローチャートである。
【図３】サービス閲覧者がサービス閲覧者端末装置を利用して、図２において提供されたコンテンツ情報等を閲覧する場合を示すフローチャートである。
【図４】複数のサービス利用者の識別情報が、順位付けされた階層構造に分類された例を示す図である。
【図５】コンテンツサーバにおいて、複数のサービス利用者の識別情報の中から事前定義識別情報を選定して保持する場合を示すフローチャートである。
【符号の説明】
【００７０】
１０  広告料金分配システム、１１  コンテンツサーバ、１１ａ，１２ａ，１３ａ，１４ａ  制御部、１１ｂ，１２ｂ，１３ｂ，１４ｂ  記憶部、１１ｃ  データベース、１２  アフィリエイトサーバ、１３  サービス利用者端末装置、１３ｃ，１４ｃ  ディスプレイ、１４  サービス閲覧者端末装置、１５  インターネット。
【図１】
2010033281.tif 000003
【図２】
2010033281.tif 000004
【図３】
2010033281.tif 000005
【図４】
2010033281.tif 000006
【図５】
2010033281.tif 000007